(57)【特許請求の範囲】
【請求項１】
第１方向に沿って延びる少なくとも１つの電気信号トレースと;
第１方向に垂直である第２方向に沿って前記少なくとも一つの電気信号トレースの下に配置される電気伝導性の接地層であって、第２方向に直角である平面に沿って延びる電気伝導性の接地層と;
少なくとも１つの電気伝導性の信号バイアおよび少なくとも１つの電気伝導性の接地バイアを有する第１リニアアレイであって、第１方向に沿って方向付けされる第１リニアアレイと;
少なくとも１つの電気伝導性の信号バイア、および、少なくとも１つの電気伝導性の接地バイアを有する第２リニアアレイであって、第１方向に沿って方向付けられ、第１および第２方向のそれぞれに関して垂直である第３方向において第１リニアアレイに一定間隔で配置されて連続する第２リニアアレイと、ここにおいて、少なくとも１つの電気信号トレースは、第３方向に関して第１および第２リニアアレイ間に配置され；そして、
第１方向に沿って方向付けられる接地分離バイアの少なくとも１つのグループであって、第３方向に関して前記少なくとも一つの電気信号トレースおよび第２リニアアレイの間に配置される接地分離バイアの少なくとも１つのグループを備え、
ここにおいて、少なくとも１つの電気信号トレースは、第１リニアアレイと第２リニアアレイとの間に等距離で間隔を置かれ、第１方向に沿って延びる中心線に関して非対称的に配置されるプリント回路基板。
【請求項２】
少なくとも１つの電気信号トレースは、第１電気信号トレースであり、印刷回路基板は、さらに、第１電気信号トレースと平行な第１方向に沿って延びる第２電気信号トレースを有し、その第１電気信号トレースおよび第２電気信号トレースは、電気信号トレースの差動対を画定するように組合うものである請求項１記載のプリント回路基板。
【請求項３】
電気信号トレースの差動対は、電気伝導性の接地層から一定間隔で配置される平面に配置される請求項２記載のプリント回路基板。
【請求項４】
第１リニアアレイは、第３方向に沿って第１距離、第２リニアアレイから間隔を置かれ、この第１距離は、プリント回路基板のリニアアレイピッチを画定する請求項１記載のプリント回路基板。
【請求項５】
少なくとも１つの電気信号トレースは、第３方向に沿って第１リニアアレイから第２距離、間隔を置かれ、少なくとも１つの電気信号トレースは、一定間隔で配置される、第３方向に沿って接地分離バイアの少なくとも１つのグループから第３距離、間隔を置かれ、接地分離バイアの少なくとも１つのグループは、第３方向に沿って第２リニアアレイから第４距離、間隔を置かれ、さらに、第２および第４距離のそれぞれは、第３距離より大きい請求項４記載のプリント回路基板。
【請求項６】
第２距離は、第４距離と等しい請求項５記載のプリント回路基板。
【請求項７】
第１距離は、第４距離より大きい請求項５記載のプリント回路基板。
【請求項８】
接地分離バイアは、プリント回路基板内にマウントされる補完的な電気コネクタの電気的接点のすべてのマウント部と整列外である請求項５記載のプリント回路基板。
【請求項９】
電気伝導性の接地分離バイアは、第３方向に沿って第１リニアアレイから第４距離、間隔を置かれ、かつ、第４距離は、補完的コネクタのカードピッチ未満である請求項８記載のプリント回路基板。
【請求項１０】
接地バイアを欠く第１領域であって、第１リニアアレイと第３方向に沿って少なくとも１つの電気信号トレースとの間に配置される第１領域と;
さらに、電気信号トレースを欠く第２領域であって、第２リニアアレイと第３方向に沿って接地分離バイアの少なくとも１つのグループとの間で画定される第２領域を備える、請求項１記載のプリント回路基板。
【請求項１１】
第１リニアアレイは、電気伝導性の信号バイアの差動対を有し、さらに、第２リニアアレイは、電気伝導性の信号バイアの差動対を有する請求項１記載のプリント回路基板。
【請求項１２】
少なくとも１つの電気信号トレースは、第１リニアアレイの信号バイアの差動信号対のそれぞれのものに電気的に接続される電気信号トレースの差動対を備える請求項１１のプリント回路基板。
【請求項１３】
第１方向に沿って第１電気信号トレースをルーティングすること;
第１方向に垂直である第２方向に沿って第１電気信号トレースの下の電気伝導性層であって、第２方向に直角である平面に沿って延びる電気伝導性層を配置すること;
第１リニアアレイにおける第１方向に沿って、少なくとも１つの電気伝導性の接地バイアから少なくとも１つの電気伝導性の信号バイアを隔てること;
第１方向および第２方向に垂直である第３方向において、第１リニアアレイから一定間隔で配置される第２リニアアレイにおける第１方向に沿って、少なくとも１つの電気伝導性の信号バイアと、少なくとも１つの電気伝導性の接地バイアとを隔てることであり、それは、第１リニアアレイおよび第２リニアアレイが、第３方向に沿って連続するリニアアレイであり、さらに、第１電気信号トレースは、第３方向に関して第１および第２リニアアレイの間に配置され、ここにおいて、第１電気信号トレースは、第１リニアアレイと第２リニアアレイとの間に等距離で間隔を置かれ、第１方向に沿って延びる中心線に関して非対称的に配置され；
さらに、第１方向に沿って配置された接地分離バイアのグループを位置づけることであって、接地分離バイアのグループは、第１電気信号トレースと第２リニアアレイとの間に配置される、
とのステップを有するプリント回路基板におけるクロストークを縮小する方法。
【発明の詳細な説明】
【技術分野】
【０００１】
この発明は、差動信号ルーティングを偏倚したＰＣＢに関する。
【背景技術】
【０００２】
[0001] 従来のプリント回路基板(ＰＣＢ)は、プリント回路基板の厚さに沿って交互に配置された電気絶縁層、および、電気伝導性層を有する。電気伝導性層の１つのものは、典型的に信号層として構成され、さらに、電気伝導性層の他のものは、典型的に接地層として構成される。信号層は、それぞれ、電気絶縁性材料によって支持され、かつ、取囲まれる電気信号トレースを有することができ、さらに、接地層は、電気絶縁性材料によって支持され、かつ取囲まれる１つまたはそれ以上の電気伝導性領域を有することができる。接地層が、隣接する信号層の間に配置されるので、接地層は、１つの信号層の電気信号トレースと隣接する信号層の電気信号トレースとの間をシールドすることを提供する。従来のプリント回路基板は、それぞれ、信号バイアおよび接地バイアを有する少なくとも第１および第２リニアアレイを有することができる。接地バイアは、信号層の少なくとも１つを介して延び、かつ、少なくとも１つの接地層のそれぞれの１つの電気伝導性領域との電気伝達（in electrical communication with）に置かれる。信号バイアは、プリント回路基板に沿う電気信号をルーティングする電気差動信号トレースのそれぞれの第１および第２組との電気伝達に置かれる第１および第２差動信号対の内に配置することができる。第１リニアアレイは、第１差動信号対の信号バイアを有し、さらに、第２リニアアレイは、第２差動信号対の信号バイアを有する。第１および第２リニアアレイのそれぞれは、それぞれの少なくとも１つの接地バイアを有することができる。電気信号トレースは、第１および第２リニアアレイ間に位置し、かつ、リニアアレイに平行に方向付けされる。電気差動信号トレースは、第１および第２リニアアレイ間に位置され、かつ、等距離で延びる中心線に関して対称的であるように位置する。ある装置においては、従来のプリント回路基板は、さらに、それぞれの第１および第２リニアアレイと電気信号トレースとの間に配置される接地バイアの第１および第２アレイを有する。
【発明の概要】
【０００３】
[0002] 一実施例に従って、プリント回路基板は、第１方向に沿って延びる少なくとも１つの電気信号トレースを有することができる。プリント回路基板は、さらに、第１方向に垂直である第２方向に沿う第１電気信号トレースの下に配置される電気伝導性接地層を有することができ、電気伝導性接地層は、第２方向に垂直である平面に沿って延びる。プリント回路基板は、さらに、少なくとも１つの電気伝導性信号バイアおよび少なくとも１つの電気伝導性接地バイアを有する第１リニアアレイを有することができ、この第１リニアアレイは、第１方向に沿って方向付けられる。プリント回路基板は、さらに、少なくとも１つの電気伝導性信号バイアおよび少なくとも１つの電気伝導性接地バイアを有する第２リニアアレイを有      することができ、この第２リニアアレイは、第１方向に沿って方向付けられる。第２リニアアレイは、第１および第２方向のそれぞれに関して垂直である第３方向に沿って第１リニアアレイから一定間隔で配置され、かつ、連続することができる。少なくとも１つの電気信号トレースは、第３方向に関して第１および第２リニアアレイの間に配置することができる。プリント回路基板は、さらに、第１方向に沿って方向付けられる接地分離バイアの少なくとも１つのグループを有することができ、接地分離バイアの少なくとも１つのグループは、第２方向に関して第１電気信号トレースと第２リニアアレイとの間に配置される。  
[0003] 先行の要約は、付属の図面とともに読まれるときに、この出願の実施例の以下の詳細な記述と同様に、一層よく理解されよう。この開示を例証する目的のために、図面において例証される実施例が示される。しかしながら、この出願が示された正確な配置および手段に限定されないことは理解されるに違いない。図面において:
【図面の簡単な説明】
【０００４】
【図１】[0004] 図１は、一実施例に従って構築されたプリント回路基板の一部の平面図である;
【図２】[0005] 図２は、２−２線に沿って得られ図1において例証されたプリント回路基板の部分の側断面図である;
【図３】[0006] 図３は、図１と同様であるが、他の実施例に従って構築されたプリント回路基板の一部の平面図である。
【発明を実施するための形態】
【０００５】
[0007] この開示は、この開示の一部を形成する付属の図および実施例に関して採られた以下の詳細な記述の言及によってより容易に理解することができる。この発明が、ここに記述され、およびまたは、図示された特定の装置、方法、応用、条件、またはパラメータに限定されないこと、さらに、ここに使用された用語が、例としてのみ特定の実施例について記述するためであり、請求された発明を限定するようには意図されないことは、理解されるべきである。また、付属の請求項を含む明細書において使用されるように、単数形式「１つの」および「その」は、複数を含み、さらに、特定の数値への言及は、もしその状況が明白に他の方法で書取らせなければ、少なくともその特定の値を含む。用語「複数」は、ここに使用されるように、１つ以上を意味する。一連の値が表現される場合、他の実施例は、１つの特定の値から、およびまたは、他の特定の値までを含む。同様に、値が、先行詞「約」の使用によって、近似として表現される場合は、特定の値が、他の実施例を形成することは、理解されるべきである。全ての範囲は、包括的であり、組合せ可能である。
【０００６】
[0008]個別の実施例の状況において明瞭さのためにここに記述されるこの発明のある特徴が、また、単一の実施例における組合せにおいて提供されることができることは、認識されるべきである。反対に、単一の実施例の状況において簡潔さのために記述されるこの発明の様々な特徴が、また、個別に、または任意のサブコンビネーションにおいて提供されることができる。さらに、範囲において述べられた値への言及は、その範囲内の値の、それぞれの、または、全ての値を含んでいる。もし、格別に注記されなければ、図の間の共通の参照番号は、同様の特徴を参照することを理解すべきである。
【０００７】
[0009] 一般に、図１−２を参照して、プリント回路基板(ＰＣＢ)１００は、電気コネクタにマウントされる補完的な電気コネクタの電気接点との電気伝達に置かれるように構成されるドータカード、または代りに構築される回路基板として構築することができる。例えば、プリント回路基板１００は、ガラス充填、または、グラス含浸エポキシのような誘電性、または電気絶縁性材料と、電気絶縁材料によって支持される電気信号マウント位置と、電気絶縁性材料によって支持される電気信号接地マウント配置とを有することができる。信号マウント位置は、補完的な電気コネクタの電気信号接点のマウント部との電気伝達に置かれるように構成され、さらに、接地マウント位置は、補完的な電気コネクタの電気接地接点のマウント部との電気伝達に置かれるように構成される。例えば、信号マウント部は、それぞれの電気的にめっきした孔を画定する信号バイアＳとして構成することができ、さらに、接地マウント部は、それぞれの電気的にめっきした孔を画定する接地バイアＧとして構成することができる。信号バイアＳは、補完的な電気コネクタの電気信号接点のプレス嵌め尾部および接地バイアＧを受けるように構成され、さらに、補完的な電気コネクタの電気接地接点のプレス嵌め尾部後部を受けるように構成される。信号マウント部および接地マウント部は、代りに、接点パッドにマウントされた表面である補完的な電気コネクタの信号接点および接地接点のそれぞれのマウント部と接触して置かれるように構成される接点パッドとして構成することができることは、認識されるべきである。信号マウント部は、プリント回路基板１００に沿って電気信号をルーティングするように構成されるそれぞれの信号トレース１０８との電気伝達にある。
【０００８】
[0010] 今度は、図１および２を参照して、プリント回路基板１００は、一般に長手方向Ｌ、および長手方向Ｌに垂直である横方向Ａに沿って平面であることができる。プリント回路基板１００は、長手方向Ｌに沿って延びる長手方向、および横方向Ａに沿って延びる幅を有する。長さは、幅と等しいか、幅を超えるか、または、幅未満であることができる。プリント回路基板１００は、さらに、長手方向Ｌおよび横方向Ａのそれぞれに垂直である横断方向Ｔに沿って延びる厚さを有する。長手方向Ｌは、第１方向と呼ぶことができる。横断方向Ｔは、第２方向と呼ぶことができる。横方向Ａは、第３方向と呼ぶことができる。
【０００９】
[0011] プリント回路基板１００は、複数の電気伝導性層１０２のような少なくとも１つの電気伝導性層１０２を有することができる。電気伝導性層１０２は、第１電気伝導性層１０２ａおよび第２電気伝導性層１０２ｂを有することができる。伝導性層１０２の連続するものは、伝導性層１０２の連続するものの間に追加の電気伝導性層が配置されないような横断方向Ｔに沿って相互の上、または相互の下に配置することができる。一実施例においては、第１および第２伝導性層１０２ａおよび１０２ｂは連続する電気伝導性層であることができる。したがって、第２電気伝導性層１０２ｂは、横断方向Ｔに沿った第１電気伝導性層１０２ａの下に配置することができる。したがって、第１電気伝導性層１０２ａは、上部の電気伝導性層と呼ぶことができ、さらに、第２電気伝導性層１０２ｂは、下部の電気伝導性層と呼ぶことができる。第１および第２電気伝導性層１０２ａおよび１０２ｂのそれぞれは、長手方向Ｌおよび横方向Ａによって画定されるそれぞれの平面に沿ってほぼ平担であることができる。
【００１０】
[0012] プリント回路基板１００は、さらに、代りに、横断方向Ｔに沿って電気伝導性層１０２で配置される複数の誘電性または電気絶縁性層１０６のような少なくとも１つの誘電性、または電気絶縁性層１０６を有することができる。したがって、電気絶縁性層１０６は、相互から連続する伝導性層１０２の２つの直ちに隣接するものを電気的に分離するように構成される。誘電体層１０６は、それを介して電気の流れを防止する、ガラス充填の、または、ガラス含浸エポキシのような任意の適切な電気絶縁性材料で構成することができる。電気絶縁性層１０６は、第１電気絶縁性層１０６ａおよび第２電気絶縁性層１０６ｂを有することができる。第１および第２電気絶縁性層１０６ａおよび１０６ｂは、横断方向Ｔに沿って連続して配置することができる。電気絶縁性層１０６の連続するものは、追加の電気絶縁性層が、絶縁性層１０６の連続するものの間に配置されないように、横断方向Ｔに沿って、相互に上に、または下に配置することができる。一実施例において、第１および第２絶縁性層１０６ａおよび１０６ｂは、連続する絶縁層であることができる。したがって、第２電気絶縁性層１０６ｂは、横断方向Ｔに沿って第１電気絶縁性層１０６ａの下に配置することができる。第１電気絶縁性層１０６ａは、上部の電気絶縁性層と呼ぶことができ、さらに、第２電気絶縁性層１０６ｂは、下部の電気絶縁性層と呼ぶことができる。第１および第２電気絶縁性層１０６ａおよび１０６ｂのそれぞれは、長手方向Ｌおよび横方向Ａによって画定されるそれぞれの平面に沿ってほぼ平担であることができる。
【００１１】
[0013] 電気伝導性層１０２および電気絶縁性層１０６は、代りに、横断方向Ｔに沿って相互に関して配置することができる。第１電気絶縁性層１０６ａは、第１電気伝導性層１０２ａと第２電気伝導性層１０２ｂとの間に配置することができる。第２電気伝導性層１０２ｂは、第１電気絶縁性層１０６ａと第２電気絶縁性層１０６ｂとの間に配置することができる。
【００１２】
[0014] 図１は、プリント回路基板１００の一部の平面図を例証し、それによって第２電気伝導性層１０２ｂは、明瞭さのための第１電気伝導性層１０２ａによって見ることができる。さらに、明瞭さのために、第１および第２電気絶縁性層１０６ａおよび１０６ｂは、透明であるように描かれる。追加の伝導性層１０２、およびまたは電気絶縁性層が、望まれるような横断方向Ｔに沿って電気伝導性層１０２の上に、またはその層の下にあることができることは、理解されるべきである。
【００１３】
[0015] 電気伝導性層１０２は、複数の電気信号層のような少なくとも１つの電気信号層を有することができる。例えば、第１および第２電気伝導性層１０２ａおよび１０２ｂのうちの一方は、電気信号層として構成することができ、さらに、第１および第２電気伝導性層１０２ａおよび１０２ｂの他方は、電気接地層として構成することができる。例証された実施例に従って、第１電気伝導性層１０２ａは、電気信号層として構成され、さらに、第２電気伝導性層１０２ｂは、電気接地層として構成される。したがって、電気信号層１０２ａは、プリント回路基板１００に沿う電気データ信号を送信するように構成される。接地層１０２ｂは、横断方向Ｔに垂直である平面に沿って延びることができる。
【００１４】
[0016] 図１−２が、プリント回路基板１００の一例の配置を描く一方で、伝導性層１０２および誘電性層１０６が、横断方向Ｔに沿って様々な順序で配置することができることは、認識されるべきである。したがって、この場での開示は、図１−２において示される構成に限定されるように、解釈されるべきでない。例えば、１つまたはそれ以上の電気伝導性層１０２であって、それは電気信号層、接地層、または、その両方、単独、または１つまたはそれ以上の電気絶縁性層１０６との組合せで構成することができ、図１−２において例証されたプリント回路基板１００の部分の上に、またはその部分の下に位置することができる。したがって、付加的な電気絶縁性層１０６は、第１電気伝導性層１０２ａの上に配置することができる。さらに、プリント回路基板１００は、第２電気絶縁性層１０６ｂを欠くことができる。電気伝導性層１０２の１つまたはそれ以上は、代りに、または、加えてプリント回路基板１００に沿って電力を送るように構成される電力層として構成することができる。例えば、プリント回路基板は、補完的な電気コネクタからプリント回路基板１００との電気伝達にある他の電気器具にプリント回路基板１００に沿う電力を送るように構成される１つまたはそれ以上の電力層を有することができる。
【００１５】
[0017] 第１電気信号層１０２ａは、誘電性、または電気絶縁性材料１０５、および少なくとも１つの、電気絶縁性材料１０５によって埋め込まれるか、そうでなければ支持される電気伝導性トレース１０８を有することができる。例えば、第１電気信号層１０２ａは、電気絶縁性材料１０５によって支持される複数の電気伝導トレース１０８を有することができる。電気伝導トレース１０８のそれぞれは、電気伝導性信号トレース、または電気信号トレースとして構成することができる。例えば、第１電気信号層１０２ａは、電気伝導トレースの電気差動信号対を画定するように相互に組合せる第１および第２電気伝導性トレース１０８ａおよび１０８ｂを有することができる。電気伝導トレース１０８は、銅のような、望まれるような任意の適切な電気伝導性材料を有することができる。第１および第２電気トレース１０８ａおよび１０８ｂのそれぞれは、長手方向Ｌに延びることができる。第１および第２電気トレース１０８ａおよび１０８ｂは、電気信号層１０２ａにおけるそれぞれのルーティンチャンネル内に配置することができる。
【００１６】
[0018] 第１および第２電気伝導性トレ−ス１０８ａおよび１０８ｂは、さらに、対応する第１中心線Ｃ１に関して中心に置くことができる。第１中心線Ｃ１は、第１中心線と呼ぶことができる。第１中心線Ｃ１は、長手方向Ｌに沿って延びることができる。第１および第２電気伝導性トレ−ス１０８ａおよび１０８ｂは、第１中心線Ｃ１と平行に方向付けることができる。さらに、第１および第２電気伝導性トレ−ス１０８ａおよび１０８ｂは、横方向Ａに関して中心線Ｃ１に関して中心に置くことができる。すなわち、中心線Ｃ１は、第１電気信号層１０２ａの第２方向に関して第１および第２電気伝導性トレース１０８ａと１０８ｂとの間に中心に配置することができる。したがって、第１中心線Ｃ１は、横方向Ａに沿って第１および第２電気伝導性トレース１０８ａおよび１０８ｂから等距離に間隔を置くことができる。
【００１７】
[0019] プリント回路基板１００は、さらに、電気伝導性接地バイアであると理解することができる複数の接地バイアＧ、および、電気伝導性信号バイアであると理解することができる複数の信号バイアＳを有することができる。接地バイアＧおよび信号バイアＳの選択したものは、それぞれの、少なくとも１つのリニアアレイ１１０内に配置することができる。少なくとも１つのリニアアレイ１００は、第１リニアアレイ１１０ａ、および横方向Ａに沿う第１リニアアレイ１１０ａから一定間隔で配置される第２リニアアレイ１１０ｂを有することができ、それは、第１中心線Ｃ１が、横方向Ａに沿って第１および第２リニアアレイ１１０ａおよび１１０ｂの間に配置されるようなものである。例えば、第１中心線Ｃ１は、第１リニアアレイ１１０ａおよび第２リニアアレイ１１０ｂの間に等距離で間隔を置くことができる。第１および第２リニアアレイ１１０ａおよび１１０ｂのそれぞれは、接地バイアＧの少なくとも１つ、および信号バイアＳの少なくとも１つを有することができる。例えば、プリント回路基板１００は、第１リニアアレイ１１０ａおよび第２リニアアレイ１１０ｂを有することができる。
【００１８】
[0020] 複数の接地バイアＧは、第１接地バイア１１２ａおよび第２接地バイア１１２ｂを有することができる。第１リニアアレイ１１０ａは、第１接地バイア１１２ａおよび第２接地バイアを有することができる。第１リニアアレイは、さらに、長手方向Ｌに沿って第１接地バイア１１２ａと整列する第２接地バイア１１２ｂを有することができる。したがって、第１リニアアレイ１１０ａが、１対の接地バイア１１２ａ-ｂを有することができることが言える。第１および第２接地バイア１１２ａおよび１１２ｂのそれぞれは、それぞれに、プリント回路基板１００を通って横断方向Ｔに沿って少なくとも部分的に延びるそれぞれの孔１１７を画定することができる。例えば、孔１１７は、電気伝導性層１０２および電気絶縁性層１０６の２つまたはそれ以上の内に延びることができる。孔１１７は、それぞれ、金属のような電気伝導性表面１２０によって、完全にめっきすることを含んで、少なくとも部分的にめっきすることができ、それは、第１および第２接地バイア１１２ａおよび１１２ｂのそれぞれが、めっきされたスルーホールと呼ぶことができるようなものである。代りに、または、付加して、各孔１１７は、金属のような電気伝導性材料で部分的に充填することができる。したがって、第１および第２接地バイア１１２ａおよび１１２ｂのそれぞれは、電気伝導性バイアと呼ぶことができる。さらに、各孔１１７は、プリント回路基板１００にマウントされる補完的な電気コネクタの電気接地接点の複数のマウント部のそれぞれの１つを受けるように構成される寸法および形状を有することができる。接地層１０２ｂは、第１および第２接地バイア１１２ａおよび１１２ｂのそれぞれとの電気伝達にある、銅のような、任意の適切な電気伝導性材料１１９によって画定することができる電気伝導性領域を有することができる。    
[0021] 複数の信号バイアＳは、第１信号バイア１１４ａおよび第２信号バイア１１４ｂを有することができる。第１リニアアレイ１１０ａは、さらに、第１信号バイア１１４ａを有することができる。第１リニアアレイ１１０ａは、さらに、長手方向Ｌに沿って第１信号バイア１１４ａと整列する第２信号バイア１１４ｂを有することができる。したがって、第１および第２信号バイア１１４ａ-ｂを有することができると言うことができる。第１信号バイア１１４ａおよび第２信号バイア１１４ｂのそれぞれは、長手方向Ｌに沿って、それぞれに、第１および第２接地バイア １１２ａおよび１１２ｂの間に配置することができる。さらに、第１および第２信号バイア１１４ａおよび１１４ｂのそれぞれは、長手方向Ｌに沿って、第１および第２接地バイア１１２ａおよび１１２ｂと整列することができる。例えば、第１リニアアレイ１１０ａの対の信号バイア１１４ａ−ｂは、第１および第２接地バイア１１２ａおよび１１２ｂの間に等距離で間隔を置くことができる。第１リニアアレイ１１０ａは、長手方向Ｌに沿って延びるそれぞれの第１アレイ中心線Ｃ２に関する横方向Ａに関して中心に置くことができる。したがって、第１アレイ中心線Ｃ２は、第１および第２電気伝導性トレース１０８ａおよび１０８ｂに平行に延びることができる。
【００１９】
[0022] 第１および第２信号バイア１１４ａ-ｂは、組合せにおいて、プリント回路基板１００にマウントされる補完的な電気コネクタの差動信号対の電気信号接点の対応するマウント部を受けるように構成される信号バイアの差動信号対を画定することができる。代りに、第１および第２信号バイア１１４ａおよび１１４ｂは、それぞれ、非平衡終端（single ended）であることができる。第１および第２電気伝導性バイア１１４ａおよび１１４ｂのそれぞれは、プリント回路基板１００を通って横断方向に沿ってそれぞれに少なくとも部分的に延びるそれぞれの孔１１８を画定することができる。例えば、孔１１８は、電気伝導性層１０２および電気絶縁性層１０６の２つまたはそれ以上内に延びることができる。各孔１１８は、導電表面１２０によって、完全にめっきすることを含んで、少なくとも部分的にめっきすることができ、それは、第１および第２信号バイア１１４ａおよび１１４ｂのそれぞれが、メッキスルーホールと呼ぶことができるようなものである。代りに、または、加えて、各孔１１８は、部分的に伝導性金属で充填することができる。したがって、第１および第２信号バイア１１４ａおよび１１４ｂのそれぞれは、電気伝導性バイアと呼ぶことができる。さらに、各孔１１８は、プリント回路基板１００にマウントされる補完的な電気コネクタの電気信号接点の複数のマウント部のそれぞれの１つを受けるように構成される寸法および形状を有することができる。第１信バイア１１４ａは、第１電気伝導性トレ−ス１０８ａとの電気伝達にあることができる。同様に、第２信号バイア１１４ｂは、第２電気伝導性トレ−ス１０８との電気伝達にあることができる。例えば、第１電気伝導性層１０２ａは、第１信号バイア１１４ａおよび第１電気伝導性トレース１０８ａの間に電気的に接続される第１補助電気伝導性トレースを有することができる。同様に、第１電気伝導性層１０２ａは、第２信号バイア１１４ｂおよび第２電気伝導性トレース１０８ｂ間に電気的に接続される第２補助電気伝導性トレースを有することができる。例えば、第１補助電気伝導性トレースは、第１信号バイア１１４ａのメッキスルーホールの電気伝導性表面と接触することができる。同様に、第２補助電気伝導性トレースは、第２信号バイア１１４ｂのメッキスルーホールの電気伝導性表面と接触することができる。
【００２０】
[0023] 一実施例によれば、第１および第２接地バイア１１２ａ-ｂ、および第１リニアアレイ１１０ａの第１および第２信号バイア１１４ａ-ｂのそれぞれは、少なくとも部分的に第１アレイ中心線Ｃ２と整列することができる。例えば、接地バイアＧおよび第１リニアアレイ１１０ａの信号バイアＳのそれぞれは、完全に第１アレイ中心線Ｃ２と整列することができる。接地バイアＧおよび第１リニアアレイ１１０ａの信号バイアＳが、第１アレイ中心線Ｃ２と部分的に整列する場合、第１アレイ中心線Ｃ２は、接地バイアＧおよび第１リニアアレイ１１０ａの信号バイアＳのそれぞれを通過する。接地バイアＧおよび第１リニアアレイ１１０ａの信号バイアＳが、第１アレイ中心線Ｃ２と完全に整列する場合、第１アレイ中心線Ｃ２は、接地バイアＧおよび第１リニアアレイ１１０ａの信号バイアＳのそれぞれを中心に通過する。
【００２１】
[0024] さらに、第１リニアアレイ１１０ａは、縦列方向と呼ぶことができる長手方向Ｌに沿って望まれるようなバイアの任意の繰返すパターン１３８を画定することができる。例えば、繰返すパターンは、Ｇ−Ｓ−Ｓパターン、Ｇ−Ｓ−Ｓ−Ｇパターン、Ｇ−Ｓ−Ｇパターン、Ｓ−Ｇ−Ｓパターン、Ｓ−Ｓ−Ｇ、Ｇ−Ｓパターン、または、望まれるような任意の適切な代りのパターンであることができる。より詳細に下に記述されるように、各バイア１１４は、また、上記リニアアレイパターン１３８の一部と考えることができるアンチパッド１１６によって取囲まれるように理解することができる。
【００２２】
[0025] 複数の接地バイアＧは、第３接地バイア１１２ｄおよび第４接地バイア１１２ｃを有することができる。第２リニアアレイ１１０ｂは、第３接地バイア１１２ｃを有することができる。第２リニアアレイ１１０ｂは、さらに、長手方向Ｌに沿って第３接地バイア１１２ｃと整列する第４接地バイア１１２ｄを有することができる。したがって、第２リニアアレイ１１０ｂが、１対の接地バイア１１２ｃ-ｄを有することができると言うことができる。第３および第４接地バイア１１２ｃおよび１１２ｄのそれぞれは、プリント回路基板１００を通って少なくとも部分的に横断方向Ｔに沿って延びるそれぞれの孔１１７を画定することができる。例えば、孔１１７は、電気伝導性層１０２および電気絶縁性層１０４の２つまたはそれ以上の内に延びることができる。各孔１１７は、導電性表面１２０によって、完全にめっきすることを含んで、少なくとも部分的にめっきすることができ、それは、第３および第４接地バイア１１２ｃおよび１１２ｄのそれぞれが、メッキスルーホールと呼ぶことができるようなものである。代りに、または、付加して、各孔１１７は、伝導性金属で部分的に満たすことができる。したがって、第３および第４接地バイア１１２ｃのそれぞれは、電気伝導性バイアと呼ぶことができる。さらに、各孔１１７は、プリント回路基板１００にマウントされる補完的な電気コネクタの電気接地接点の複数のマウント部のそれぞれの１つを受けるように構成される寸法およびサイズを有することができる。接地層１０２ｂの電気伝導性材料１１９は、第３および第４接地バイア１１２ｃおよび１１２ｄとの電気伝達にあることができる。例えば、電気伝導性材料１１９は、第３および第４接地バイア１１２および１１２ｄのそれぞれのメッキスルーホールのそれぞれの電気伝導表面と接触することができる。第１および第２接地バイア１１２ａおよび１１２ｂとの電気伝達にある接地層１０２ｂの電気伝導性材料１１９は、さらに、電気的に第３および第４接地バイア１１２および１１２ｄとの電気伝達にある接地層１０２ｂの電気伝導性体材料１１９との電気伝達にあるか、または、第３および第４接地バイア１１２ｃおよび１１２ｄとの電気伝達にある接地層１０２ｂの電気伝導性材料１１９から電気的に分離することができる。
【００２３】
[0026] 複数の信号バイアＳは、第３信号バイア１１４ｄおよび第４信号バイア１１４ｃを有することができる。第２リニアアレイ１１０ｂは、さらに、第３信号バイア１１４ｃを有することができる。第２リニアアレイ１１０ｂは、さらに、長手方向Ｌに沿って第３信号バイア１１４ｃ整列する第４信号バイア１１４ｄを有することができる。したがって、第２リニアアレイ１１０ｂが、１対の信号バイア１１４ｃ-ｄを有することができることは、言うことができる。第３信号バイア１１４ｃおよび第４信号バイア１１４ｄのそれぞれは、長手方向Ｌに沿って、それぞれに、第３および第４接地バイア１１２ｃおよび１１２ｄの間に配置することができる。さらに、それぞれ、第３および第４バイア信号１１４ｃおよび１１４ｄは、長手方向Ｌに沿って、第３および第４接地バイア１１２ａおよび１１２ｂと整列することができる。例えば、第２リニアアレイ１１０ｂの第３および第４信号バイア１１４ｃおよび１１４ｄは、第３および第４接地バイア１１２ｃおよび１１２ｄの間に等距離で間隔を置くことができる。第２リニアアレイ１１０ｂは、長手方向Ｌに沿って延びるそれぞれの第２アレイ中心線Ｃ３に関する横方向Ａに関して中央に置くことができる。したがって、第２アレイ中心線Ｃ３は、第１および第２電気伝導性トレース１０８ａおよび１０８ｂにそれぞれ平行に延びることができる。
【００２４】
[0027] 第３および第４信号バイア１１４ｃおよび１１４ｄは、プリント回路基板１００にマウントされる補完的な電気コネクタの差動信号対の電気信号接点の対応するマウント部を受けるように構成される信号バイアの差動信号対を画定するように組合せることができる。代りに、第３および第４信号バイア１１４ｃおよび１１４ｄは、それぞれ、非平衡終端であることができる。１１４ｃによって電気伝導性の  第３および第４電気伝導性バイア１１４ｃおよび１１４ｄは、それぞれ、プリント回路基板１００を通って少なくとも部分的に横断方向に沿って延びるそれぞれの孔１１８を画定することができる。例えば、孔１１８は、電気伝導性層１０２および電気絶縁性層１０４の２つまたはそれ以上の内に延びることができる。各孔１１８は、導電表面１２０によって、完全にめっきすることを含んで、少なくとも部分的にめっきすることができ、それは、第３および第４信号バイア１１４ｃおよび１１４ｄのそれぞれが、メッキスルーホールと呼ぶことができるようなものである。代りに、または、付加的に、各孔１１８は、部分的に伝導性金属で充填することができる。したがって、第３および第４バイア信号１１４ｃおよび１１４ｄは、電気伝導性バイアと呼ぶことができる。さらに、各孔１１８は、プリント回路基板１００にマウントされる補完的な電気コネクタの電気信号接点の複数のマウント部のそれぞれの１つを受けるように構成される寸法および形状を有することができる。第３信号バイア１１４ｃは、電気信号層１０２ａの対応する第３電気トレースとの電気伝達にあることができ、さらに、第４信号バイア１１４ｄは、電気信号層１０２ａの対応する第４電気トレースとの電気伝達にあることができる。第３および第４電気トレースは、第１および第２電気トレースに関して上に記述されたように構成することができる。
【００２５】
[0028] 一実施例によれば、第３および第４接地バイア１１２ｃ-ｄと第２リニアアレイ１１０ｂの第３および第４信号バイア１１４ｃ-ｄとのそれぞれは、少なくとも部分的に第２アレイ中心線Ｃ３と整列することができる。例えば、接地バイアＧおよび第２リニアアレイ１１０ｂの信号バイアＳのそれぞれは、第２アレイ中心線Ｃ３と完全に整列することができる。接地バイアＧおよび第２リニアアレイ１１０ｂの信号バイアＳが、第２アレイ中心線Ｃ３と部分的に整列する場合、第２アレイ中心線Ｃ３は、接地バイアＧおよび第２リニアアレイ１１０ｂの信号バイアＳのそれぞれを通過する。接地バイアＧおよび第２リニアアレイ１１０ｂの信号バイアＳが、第２アレイ中心線Ｃ３と完全に整列する場合、第２アレイ中心線Ｃ３は、接地バイアＧおよび第２リニアアレイ１１０ｂの信号バイアＳのそれぞれを中心として通過する。
【００２６】
[0029] さらに、第２リニアアレイ１１０ａは、長手方向に沿って望まれるようなバイアの任意の繰返すパターン１３８を画定することができる。例えば、繰返すパターンは、Ｇ−Ｓ−Ｓパターン、Ｇ−Ｓ−Ｓ−Ｇパターン、Ｇ−Ｓ−Ｇパターン、Ｓ−Ｇ−Ｓパターン、Ｓ−Ｓ−Ｇ、Ｇ−Ｓパターン、または望まれるような任意の適切な代りのパターンであることができる。より詳細に下に記述されるように、各信号バイア１１４は、また、上記リニアアレイパターン１３８の一部と考えることができるアンチパッド１１６によって取囲まれるように理解することができる。
【００２７】
[0030] さらに、第１および第２リニアアレイ１１０ａ-ｂは、リニアアレイ１１０に連続することができる。連続するリニアアレイ１１０は、横列方向と呼ぶことができる横方向Ａに沿う与えられたリニアアレイ１１０のそばで次のリニアアレイであるべきであると理解することができる。連続するリニアアレイ１１０は、第１距離Ｄ１だけ離れて間隔を置くことができる。距離Ｄ１は、リニアアレイピッチと呼ぶことができる。プリント回路基板１００用のリニアアレイピッチＤ１は、第２電子装置の対応するカードピッチと一致するように選択することができる。典型的な実施例では、カードピッチおよび第１距離Ｄ１は、２.８ｍｍであることができる。
【００２８】
[0031] さらに、図１−３において描かれるように、１対のトレ−ス１０８は、連続するリニアアレイ１１０間に位置することができる。対のトレ−ス１０８は、望まれるような差動対を画定することができる。各信号バイア１１４は、トレ−ス１０８のうちの一方と電気伝達にあり、さらに、電気トレースの他方からの電気伝達に関して絶縁されることができる。代りに、単一トレ−ス１０８は、連続するリニアアレイ１１０間に位置することができる。
【００２９】
[0032] それらが種々様々の形状を仮定することができることは認識されるべきであるが、接地バイアＧおよび信号バイアＳは、例証されるように、ほぼ円形であることができる。それぞれ、円形接地バイア１１２および信号バイア１１４の各孔１１８は、横断方向に垂直であり、かつ、横方向Ａおよび長手方向Ｌによって画定される平面に延びる直径を有し、さらに、それぞれに、信号および接地バイアＳおよびＧの領域を画定することができる。したがって、各信号および接地バイアＳおよびＧは、それぞれの領域の成果（product）として画定されるそれぞれのボリュームおよび横断方向Ｔに沿うそれらのそれぞれの厚さを有することができる。
【００３０】
[0033] 図１および２についての継続的な参照によって、プリント回路基板１００は、さらに、信号バイアＳのそれぞれのものからそれぞれの接地層１０２ｂを電気的に分離する複数のアンチパッド１１６を有することができる。例えば、接地層１０２ｂは、信号バイアＳのそれぞれのものから接地層１０２ｂの電気伝導性材料１１９を電気的に分離するアンチパッド１１６を画定することができる。この点に関しては、アンチパッド１１６のそれぞれは、接地層１０２ｂの電気伝導性材料１１９において配置されるそれぞれのボイド１２８によって画定することができることは認識されるべきである。ボイド１２８は、空気、または、任意の適切な代りの誘電性、または、電気絶縁性材料を有することができる。結果として、アンチパッド１１６は、接地層１０２ｂの電気伝導性材料が物理的接触に置かれるか、または、そうでなければ、信号バイアＳのそれぞれのものの電気伝導性表面との電気伝達に置かれるのを防ぐことができる。各アンチパッド１１６は、それぞれ、ボイド１２８を取囲むそれぞれの伝導性接地層１０２ｂの伝導性材料１１９に囲まれることができる。アンチパッド１１６のそれぞれは、様々な方法で形成することができる。例えば、アンチパッド１１６は、接地層１０２ｂのようなそれぞれの伝導性層を第１成形加工によって、そして、その後、それぞれのボイド１２８を作成するために、接地層１０２ｂの区分を削除することによって、作成することができる。除去するステップは、接地層１０２ｂ内にエッチングするか、または、接地層１０２ｂ内に穿孔するステップを有することができる。
【００３１】
[0034] 各アンチパッド１１６は、横断方向Ｔに垂直である平面に沿って延びる領域を有することができる。例えば、直角平面は、横方向Ａおよび長手方向Ｌに沿って延びることができる。各アンチパッド１１６の最大領域は、アンチパッドを取囲むそれぞれの接地層１０２ｂの伝導性材料におけるボイド１２８によって画定することができる。アンチパッド１１６のそれぞれは、また、それぞれの領域の成果、および横断方向Ｔにおけるそれぞれの接地層１０２ｂの厚さによって画定することができるボリュームを有することができる。
【００３２】
[0035] 複数のアンチパッド１１６の第１アンチパッド１１６ａは、第１アレイ中心線Ｃ２と少なくとも部分的に整列することができる。さらに、第１アンチパッドは、第１アレイ中心線Ｃ２と完全に整列することができる。この点に関しては、第１リニアアレイ１１０ａが、第１アンチパッドを有することができることは、認識されるべきである。さらに、第１および第２信号バイア１１４ａおよび１１４ｂのそれぞれは、第１アンチパッド１１６ａと整列することができ、それは、接地層１０２ｂから第１アンチパッド１１６ａが、第１および第２信号バイア１１４ａおよび１１４ｂのそれぞれを電気的に分離するようなものである。したがって、第１アンチパッド１１６ａは、効果的に第１および第２信号バイア１１４ａおよび１１４ｂのそれぞれに接続することができると言うことができる。第１アンチパッド１１６ａは、横断方向Ｔに垂直である方向に関して第１および第２バイア１１４ａおよび１１４ｂと整列する必要はないが、第１アンチパッド１１６ａは、それにもかかわらず第１および第２バイア１１４ａおよび１１４ｂ(例えば、横断方向Ｔに沿う図に関しての)を取囲むと言われる外部周囲を画定することができる。同様に、複数のアンチパッド１１６の第２アンチパッド１１６ｂは、少なくとも部分的に第２アレイ中心線Ｃ３と整列することができる。さらに、第２アンチパッド１１６ｂは、第２アレイ中心線Ｃ３と完全に整列することができる。この点に関しては、第２リニアアレイ１１０ｂが、第２アンチパッド１１６ｂを有することができることは認識されるべきである。さらに、第３および第４信号バイア１１４ｃおよび１１４ｄのそれぞれは、第２アンチパッド１１６ｂと整列することができ、それは、接地層１０２ｂから第２アンチパッド１１６ｂが、第３および第４信号バイア１１４ｃおよび１１４ｄのそれぞれを電気的に分離するようなものである。したがって、第２アンチパッド１１６ｂは、効果的に第３および第４信号バイア１１４ｃおよび１１４ｄのそれぞれに接続されると言うことができる。第２アンチパッド１１６ｂは、横断方向Ｔに垂直である方向に関して第３および第４バイア１１４ｃおよび１１４ｄと整列する必要はないが、第２アンチパッド１１６ｂは、それにもかかわらず外部周囲を画定することができ、第３および第４バイア１１４ｃおよび１１４ｄ(例えば、横断方向Ｔに沿う図に関して)を囲むと言われる外部周囲を画定することができる。
【００３３】
[0036] この点に関しては、アンチパッド１１６が、例えば、図１に例証されるような卵形のような様々な形状を画定することができることは認識されるべきである。代りに、図３において例証されるように、アンチパッドが、代りに、正方形、長方形、または、代りに、望まれるような任意の適切な代りの形状であることができることは認識されるべきであるが、アンチパッド１１６は、代りに円形を画定することができる。さらに、図３において例証されるように、第１および第２信号バイア１１４ａおよび１１４ｂのそれぞれは、例えば、長手方向Ｌに沿って相互から一定間隔で配置されるアンチパッド１１６のそれぞれのものと整列することができる。したがって、第１および第２信号バイア１１４ａおよび１１４ｂの少なくとも一方が、アンチパッドと整列することができることは言うことができる。第１および第２信号バイア１１４ａおよび１１４ｂは、図１において例証されるアンチパッド１１６の共通の１つと整列することができるか、または、第１および第２信号バイア１１４ａおよび１１４ｂは、図３において例証される相互から一定間隔で配置されるアンチパッド１１６のそれぞれの個別のものと整列することができる。したがって、第１および第２信号バイア１１４ａおよび１１４ｂの少なくとも一方は、アンチパッド(例えば横断方向Ｔに沿って図に関して)の外部周囲によって取囲むことができることは言うことができる。第１および第２信号バイア１１４ａおよび１１４ｂのそれぞれは、図１に例証されるようにアンチパッド１１６の単一の、共通のものの周囲によって取囲むことができ、または、第１および第２信号バイア１１４ａおよび１１４ｂは、図３において例証されるように、相互から一定間隔で配置されるアンチパッド１１６の個別のもののそれぞれの周囲によって取囲むことができる。
【００３４】
[0037] 同様に、図３において例証されるように、第３および第４信号バイア１１４ｃおよび１１４ｄのそれぞれは、相互から、例えば、長手方向Ｌに沿って一定間隔で配置されるアンチパッド１１６のそれぞれのものと整列することができる。したがって、第３および第４信号バイア１１４ｃおよび１１４ｄの少なくとも１つは、(例えば、横断方向Ｔに沿って図に関して)アンチパッドと整列することができるということができる。第３および第４信号バイア１１４ｃおよび１１４ｄは、図１において例証されたようなアンチパッド１１６の共通のものと整列することができ、または、第３および第４信号バイア１１４ｃおよび１１４ｄは、図３において例証されるように相互から一定間隔で配置されるアンチパッド１１６のそれぞれの個別のものと整列することができる。したがって、第３および第４信号バイア１１４ｃおよび１１４ｄは、(例えば、横断方向Ｔに沿って図に関して)アンチパッド１１６の外周囲によって取囲まれることができることは、言うことができる。第３および第４信号バイア１１４ｃおよび１１４ｄのそれぞれは、図１において例証されたようなアンチパッド１１６の単一の共通のものの外周によって取囲むことができ、または、第３および第４信号バイア１１４ｃおよび１１４ｄは、図３において例証されるように相互から一定間隔で配置されるアンチパッド１１６の個別のもののそれぞれの周囲によって取囲まれることができる。
【００３５】
[0038] プリント回路基板１００、および、特に、接地層１０２ｂは、さらに、    「Ｇ」によって表示される、少なくとも１つの接地分離バイアのうちの少なくとも１つのグループ１３６を有することができる。例えば、プリント回路基板１００は、複数の接地分離バイアＧのような少なくとも１つの接地分離バイアＧの第１グループ１３６ａを有することができる。プリント回路基板１００は、さらに、複数の接地分離バイアＧのような少なくとも１つの接地分離バイアＧの第２グループ１３６ｂを有することができる。接地分離バイアＧのそれぞれは、電気伝導性の接地分離バイアＧとして構成することができる。例えば、電気伝導性の接地分離バイアＧのそれぞれは、少なくとも伝導性層１０２ａおよび１０２ｂの１つまたはそれ以上の中に、または、それを通って、または、少なくとも電気絶縁性層１０６ａおよび１０６ｂの１つまたはそれ以上の中に、または、それを通って、横断方向Ｔに沿って延びるそれぞれの孔１３４を画定することができる。  
[0039] 孔１３４のそれぞれは、導電性表面１２０で、完全にめっきすることを含んで、少なくとも部分的にめっきすることができ、それは、孔１３４のそれぞれは、メッキスルーホールと呼ぶことができるようなものである。代りに、または、付加して、各孔１１７は、部分的に伝導性金属で充填することができる。したがって、接地分離バイアＧのそれぞれは、電気伝導性バイアと呼ぶことができる。さらに、接地分離バイアＧのそれぞれは、受けることができないか、プリント回路基板１００にマウントされる補完的な電気コネクタの電気接地接点のマウント部を受けることができないか、または、受けるようには意図されない寸法および形状を画定することができる。代りに、または、付加して、接地分離バイアＧは、電気信号接点のマウント部が信号バイアＳのそれぞれのものによって受けられるような方法で、プリント回路基板にマウントされる補完的な電気コネクタの電気的接点(接地および信号接点を含んで)のマウント部との整列外であるように位置することができ、さらに、電気接地接点のマウント部は、接地バイアＧのそれぞれのものによって受けられる。したがって、接地分離バイアＧのそれぞれの孔１３４は、直径のような、接地バイア１１２の孔１１７より小さい長手、および横方向によって画定された平面に沿う横断面の寸法であることができる。さらに、接地分離バイアＧのそれぞれの孔１３４は、(接地バイア１１２の孔１１８より小さい直径のような長手および横方向によって画定された平面に沿う横断面の寸法であることができる。しかしながら、孔１３４の横断面の寸法は、望まれるように、例えば、接地バイア１１２または信号バイア１１４の一方または両方と等しいことがあることは、認識されるべきである。接地分離バイアＧは、プリント回路基板１００にマウントされる補完的な電気コネクタの電気接点のマウント部を受けるようには意図されないので、接地分離バイアＧは、また、未使用の接地バイア、または単に未使用の接地と呼ぶことができる。
【００３６】
[0040] 一実施例に従って、接地分離バイアＧの第１グループ１３６ａは、接地分離バイアＧのうちの３つを有することができる。第１グループ１３６ａの接地分離バイアＧは、第１グループ１３６がほぼ直線的であるように配置することができる。例えば、接地分離バイアＧの第１グループ１３６ａは、信号バイア１１４ａ、１１４ｂに平行で、長手方向Ｌに延びることができる。したがって、接地分離バイアＧの第１グループ１３６ａは、電気トレース１０８ａ-ｂと平行であることができる。したがって、第１グループ１３６ａは、長手方向に延びる第１グループ中心線Ｃ４に関して中心に置くことができる。例えば、第１グループ１３６ａの接地分離バイアＧのそれぞれは、接地分離バイアを通過する中心線Ｃ４と少なくとも部分的に整列することができる。例えば、第１グループ１３６ａの接地分離バイアＧのそれぞれは、接地分離バイアＧの中心を通過する第１グループ中心線Ｃ４と完全に整列することができる。
【００３７】
[0041] 一実施例に従って、接地分離バイアＧの第２グループ１３６ｂは、接地分離バイアＧの３つを有することができる。第２グループ１３６ｂの接地分離バイアＧは、第２グループ１３６ｂがほぼ直線的であるように配置することができる。例えば、接地分離バイアＧの第２グループ１３６ｂは、信号バイア１１４Ｃ１１４ｄに平行に、長手方向Ｌに延長することができる。したがって、接地分離バイアＧの第２グループ１３６ｂは、電気トレース１０８ａ-ｂと平行であることができる。したがって、第２グループ１３６ｂは、長手方向Ｌに延びる第２グループ中心線Ｃ５に関して中心に置くことができる。例えば、第２グループ１３６ｂの接地分離バイアＧのそれぞれは、接地分離バイアＧを通過する第２グループ中心線Ｃ５と少なくとも部分的に整列することができる。例えば、第２グループ１３６ｂの接地分離バイアＧのそれぞれは、接地分離バイアＧの中心を通過する第２グループ中心線Ｃ５と完全に整列することができる。
【００３８】
[0042] したがって、一実施例に従って、接地分離バイアＧの１つまたはそれ以上のグループ１３６は、１つまたはそれ以上の中心線Ｃ４およびＣ５の一方または両方に沿って配置することができる。代りに、または、付加して、プリント回路基板１００は、それぞれのグループ中心線に沿って配置された接地分離バイアＧの１つまたはそれ以上の追加のグループ１３６を有することができる。上に記述されたように、接地分離バイアＧは、電気信号接点のマウント部が信号バイアＳのそれぞれのものによって受けられ、さらに、電気接地接点のマウント部は、接地バイアＧのそれぞれのものによって受けられるような方法で、プリント回路基板にマウントされる補完的な電気コネクタの電気接点(接地および信号接点を有して)のマウント部と整列外（out of alignment）であるように位置することができる。例えば、接地分離バイアＧの第１グループ１３６ａの第１グループ中心線Ｃ４は、横方向Ａに沿う第１リニアアレイ１１０ａの第１アレイ中心線Ｃ２に隣接して位置し、さらに、補完的コネクタのカードピッチ未満か、またはより大きな距離だけ第１アレイ中心線Ｃ２から一定間隔で配置することができる。したがって、第１グループ中心線Ｃ４は、補完的コネクタのカードピッチの整数倍（integer multiple）でない距離だけ横方向Ａに沿う第１アレイ中心線Ｃ２から一定間隔で配置することができる。同様に、接地分離バイアＧの第２グループ１３６ｂの第２グループ中心線Ｃ５は、横方向Ａに沿う第１リニアアレイ１１０ａの第２アレイ中心線Ｃ３に隣接して位置し、補完的コネクタのカードピッチ未満か、またはより大きな距離だけ第２アレイ中心線Ｃ３から一定間隔で配置することができる。したがって、第２グループ中心線Ｃ５は、補完的コネクタのカードピッチの整数倍でない距離だけ横方向Ａに沿う第２アレイ中心線Ｃ３から一定間隔で配置することができる。
【００３９】
[0043] 一実施例によれば、それぞれのグループ中心線に沿って整列した接地分離バイアＧの少なくとも１つのグループ１３６は、少なくとも１つの電気トレース１０８と組合って、電気トレース１０８の差動対を有して、横方向Ａに関して第１および第２リニアアレイ１１０ａおよび１１０ｂの連続するものの間に位置することができる。別に説明すれば、第１および第２リニアアレイ１１０ａおよび１１０ｂの連続するものは、横方向Ａに沿ってトレース１０８の差動対を有して、接地分離バイア１３６の少なくとも１つのグループ、および、少なくとも１つの電気信号トレースによって分離することができる。さらに他の方法で述べれば、それぞれ、１つまたはそれ以上の接地バイア１１２および１つまたはそれ以上の信号バイア１１４を有する第１および第２リニアアレイ１１０ａおよび１００ｂの連続するものは、例えば、繰返すリニアアレイパターン１３８に配置されるそれぞれのアンチパッドを有して、それぞれのグループ中心線に沿って整列する接地分離バイアＧの少なくとも１つのグループ１３６、および、横方向Ａに沿う電気トレース１０８の差動対のような少なくとも１つの電気トレース１０８によって分離することができる。
【００４０】
[0044] したがって、第１リニアアレイ１１０ａから第２リニアアレイ１１０ｂに向かって横方向Ａに方向付けられる直線の基準線に沿って移動する場合、その基準線は、順に、第１リニアアレイ１１０ａと;
電気トレース１０８のような差動対の少なくとも１つの電気トレース１０８と;
さらには接地分離バイアＧのグループ１３６および第２リニアアレイ１１０ｂと交差することができる。
【００４１】
このパターンは、横方向Ａに沿って、例えば第２リニアアレイ１１０ｂから第１リニアアレイ１１０ａに向かって、繰返すことができる。したがって、第２リニアアレイ１１０ｂから第１リニアアレイ１１０ａまで横方向Ａに方向付けされる直線の基準線に沿って移動する場合、基準線は、順に、第２リニアアレイ１１０ｂと、接地分離バイアＧのグループ１３６と、トレース１０８の差動対および第１リニアアレイ１１０ａのような少なくとも１つの電気トレース１０８と交差することができる。このパターンは、横方向Ａに沿って繰返すことができる。プリント回路基板１００は、リニアアレイ１１０の１つおよび少なくとも１つの電気トレース１０８の間に位置する領域１４０を画定することができる。例えば、領域１４０は、第１リニアアレイ１１０ａと、横方向Ａに沿う信号トレース１０８の差動対のような少なくとも１つの電気トレース１０８との間に位置することができる。領域１４０は、接地分離バイアＧを欠くことができる。代りに、プリント回路基板１００は、領域１４０内に１つまたはそれ以上の接地分離バイアＧを有することができる。領域１４０は、第１リニアアレイ１１０ａと少なくとも１つの電気トレース１０８との間の横方向Ａに沿う横方向寸法に沿って延びることができ、さらに、横方向寸法および長手方向寸法によって画定される長方形領域を画定するように、長手方向における長手方向寸法に沿ってさらに延びることができる。違うように述べると、領域１４０は、接地分離バイアＧを欠くことができるか、または、少なくとも１つの接地分離バイアＧを有するができる横方向Ａに沿って第１リニアアレイ１１０ａおよび差動信号トレース１０８のアンチパッド１１６ａ間に延びる領域を画定することができる。同様に、プリント回路基板１００は、さらに、それぞれのグループ中心線およびリニアアレイ１１０のうちの１つに沿って配置される、接地分離バイアＧの１つまたはそれ以上のグループ１３６間に位置する領域１４２を有するように理解することができる。例えば、領域１４２は、接地分離バイアＧの第２グループ１３６ｂと横方向Ａに沿う第２リニアアレイ１００ｂとの間に配置することができる。領域１４２は、長手方向Ｌに沿う寸法によって画定することができる領域、および接地分離バイアＧの第２グループ１３６ｂと第２リニアアレイ１００ｂとの間の横方向に沿った横方向寸法を画定することができる。違うように述べると、領域１４２は、第２リニアアレイ１１０ｂのアンチパッドと、横方向Ａに沿う接地分離バイアＧの第２グループ１３６ｂとの間に延びる領域を画定することができる。領域１４２は、電気信号トレースを欠くことができる。
【００４２】
[0045] 一実施例において、第１中心線Ｃ１は、第１アレイ中心線Ｃ２から横方向に沿う第２距離Ｄ２、一定間隔で配置することができる。接地分離バイアＧの第２グループ１３６ｂの第２グループ中心線Ｃ５は、横方向Ａに沿う第３距離Ｄ３だけ第１中心線Ｃ１から一定間隔で配置することができる。第２リニアアレイ１１０ｂの第２アレイ中心線Ｃ３は、横方向に沿う第４距離Ｄ４だけ接地分離バイアＧの第２グループ１３６ｂの第２グループ中心線Ｃ５から一定間隔で配置することができる。第２距離Ｄ２は、第３距離Ｄ３より大きくなることができる。さらに、第４距離Ｄ４は、第３距離Ｄ３より大きくなることができる。さらに、なお、第２距離Ｄ２は、第４距離Ｄ４と等しいか、または異なっていることができる。
【００４３】
[0046] 一つの実施例に従って、プリント回路基板は、第１アレイ中心線Ｃ２と第２アレイ中心線Ｃ３との間に中途に位置する第６中心線Ｃ６を画定することができる。第６中心線Ｃ６は、長手方向Ｌに延びる。第６中心線Ｃ６は、横方向に沿って第１中心線Ｃ１に関して偏倚することができる。したがって、第２距離Ｄ２は、中心線Ｃ１が中心線Ｃ６と整列しないように第１距離Ｄ１の半分を超えて、または、その半分未満であることができる。違うように述べれば、第４距離Ｄ４と第６中心線Ｃ６は、第１および第２グループ中心線Ｃ２およびＣ３の両方から第１距離Ｄ１の２分の１と等しい距離に位置することができる。第１中心線Ｃ１が中心線Ｃ６と整列しない場合、電気トレース１０８は、第６中心線Ｃ６に関して非対称的にルーティンされると言うことができる。なお、他の方法で述べると、第１中心線Ｃ１が、第６中心線Ｃ６と整列しない場合、電気トレースは、第１および第２リニアアレイ１１０ａおよび１１０ｂと第１および第２アレイ中心線Ｃ２およびＣ３との一方または両方に関して非対称的にルーティンすると言うことができる。
【００４４】
[0047] さらに、接地分離バイアＧの各グループ１３６は、少なくとも部分的にまたは完全に横方向Ａに沿ってそれぞれのリニアアレイパターン１３８と整列することができる。例えば、それぞれの接地分離バイアＧのそれぞれの中心を通って横方向Ａに延びるそれぞれの線が、それぞれのリニアアレイパターン１３８によって延びる場合、接地分離バイアＧのグループ１３６は完全にリニアアレイパターン１３８と整列することができる。例えば、図１において例証されるように、横方向Ａに沿って接地分離バイアＧのそれぞれを介して中心に延びる直線が、リニアアレイパターン１３８でそれぞれの第１グループ中心線Ｃ２と交差するので、接地分離バイアＧの第１グループ１３６ａは、完全にＧ−Ｓ−Ｓ−Ｇパターン１３８の第１リニアアレイ１１０ａと整列する。第１グループ１３６ａの接地分離バイアＧの少なくとも選択した１つは、長手方向に関して第１リニアアレイ１１０ａの第１および第２信号バイア１１４Ａおよび１１４ｂ間に配置することができる。接地分離バイアＧの選択した１つは、長手方向Ｌに関して第１グループ１３６ａの接地分離バイアＧの中間の１つになることができる。第１グループ１３６ａの少なくとも１対の接地分離バイアＧは、第１および第２信号バイア１１４ａおよび１１４ｂが長手方向Ｌに関して第１グループ１３６ａの接地分離バイアＧの対の間に配置されるように位置することができる。第１グループ１３６ａの接地分離バイアＧの対は、長手方向Ｌに関して第１グループ１３６ａの接地分離バイアＧの最外側のものであることができる。
【００４５】
[0048] 同様に、横方向Ａに沿う接地分離バイアＧのそれぞれによって中心に延びる直線が、リニアアレイパターン１３８でそれぞれの第２グループ中心線Ｃ３と交差するので、接地分離バイアＧの第２グループ１３６ｂは、完全にＧ−Ｓ−Ｓ−Ｇパターン１３８の第２リニアアレイ１１０ｂと整列する。第２グループ１３６ｂの接地分離バイアＧの選択した少なくとも１つは、長手方向に関して第２リニアアレイ１１０ｂの第３および第４バイア信号１１４ｃおよび１１４ｄ間に配置することができる。接地分離バイアＧの選択した１つは、長手方向Ｌに関して第２グループ１３６ｂの接地分離バイアＧの中間の１つであることができる。第２グループ１３６ｂの少なくとも１対の接地分離バイアＧは、第３および第４信号バイア１１４ｃおよび１１４ｄに長手方向Ｌに関して第２グループ１３６ｂの接地分離バイアＧの対の間に配置されるように位置することができる。第２グループ１３６ｂの接地分離バイアＧの対は、長手方向Ｌに関して第２グループ１３６ｂの接地分離バイアＧの最外側のものであることができる。
【００４６】
[0049] さらに、第１グループ１３６ａの接地分離バイアＧの最外側のもののうちの１つは、第２グループ１３６ｂの接地分離バイアＧの最外側のもののうちの１つと整列することができ、一方、第１および第２グループ１３６ａおよび１３６ｂのそれぞれの接地バイアＧの対向する最外側のものは、横方向Ａに沿う第１および第２グループ１３６ａおよび１３６ｂの他方のバイアのすべてとの整列外である。例えば、第１および第２グループ１３６ａと１３６ｂのそれぞれの接地分離バイアＧの対向する最外側のものは、長手方向Ｌに関する第１および第２グループ１３６ａおよび１３６ｂの他方のすべての接地分離バイアから偏倚される。グループ１３６のそれぞれの接地分離バイアＧは、長手方向Ｌに沿って相互から均等に間隔を置くことができる。代りに、グループ１３６のそれぞれの接地分離バイアＧは、長手方向Ａにそって様々に相互に間隔を置くことができるが、リニアアレイ１００のそれぞれの１つまたは、リニアアレイパターン１３８と効果的に関係することができる。
【００４７】
[0050] さらに、第１リニアアレイ１１０ａから個別のリニアアレイ１３８は、第２リニアアレイ１１０ｂからの個別のリニアアレイパターン１３８と、完全に、または部分的に整列することができる。例えば、横方向Ａに延びるそれぞれの直線は、それぞれの接地バイア１１２、および、リニアアレイ１１０ａおよび１１０ｂのそれぞれのうちのリニアアレイパターン１３８における信号バイア１１４の中心を通って延びることができる。例証された実施例において、第１リニアアレイ１１０ａのリニアアレイパターン１３８は、第２リニアアレイ１１０ｂの第２リニアアレイパターン１３８と部分的に整列する。第１リニアアレイ１１０ａのリニアアレイパターン１３８のそれぞれの接地バイア１１２および信号バイア１１４の中心を通って横方向Ａに延びる直線のすべて未満が、第２リニアアレイ１１０ｂのリニアアレイパターン１３８のそれぞれの接地バイア１１２および信号バイア１１４の中心を通って延びる場合、部分的な整列が、生じることができる。
【００４８】
[0051] 理論によって拘束されることなしに、上に記述されたように位置する接地分離バイアＧのグループ１３６が、横方向Ａに沿って、相互から一定間隔で配置される差動信号対間のクロストークを防止するファラデーシールドを画定することは、確信される。さらに、単一の線に沿う接地分離バイアＧの１つまたはそれ以上のグループ１３６の位置取りは、第２グループ中心線Ｃ５に沿う接地分離の第２グループ１３６ｂが、先行技術に関してリニアアレイ１１０間のより大きい領域を提供する間にクロストークを軽減するのに充分であることができる。増加した領域は、電気トレースがゼロスキュールーティングを達成するそれぞれのパスに沿って延びることを可能にする。接地分離バイアＧは、接地バイア１１２と(より小さいことの代わりに)同一サイズ、およびまたは、接地分離バイアＧは、その分離バイアＧをあまりにも信号トレース１０８に近く置いていることにより引き起こされることがあるインピーダンス不連続を最小化するように信号トレース１０８からさらに遠ざけて間隔を置くことができる。接地分離バイアは、また、ＰＣＢ生産性を改善するように、アンチパッドからさらに間隔を置くことができる。
【００４９】
[0052]一実施例に従って、１つの方法は、プリント回路基板におけるクロストークを縮小するために提供することができる。その方法は、１）第１電気信号トレースを第１方向に沿ってルーティングすること、２）電気伝導性層が第２方向に垂直である平面に沿って延び、第１方向に垂直である第２方向に沿う第１電気信号トレースより下に電気伝導性層を配置すること、３）第１リニアアレイにおける第１方向に沿って、少なくとも１つの電気伝導性接地バイアから、少なくとも１つの電気伝導性信号バイア、間隔を置くこと、４）第１方向および第２方向に垂直である第３方向に沿う第１リニアアレイから一定間隔で配置される第２リニアアレイにおける第１方向に沿って、少なくとも１つの電気伝導性信号バイア、および、少なくとも１つの電気伝導性接地バイア、間隔を置くこと、であって、それは、第１リニアアレイアレイおよび第２リニアアレイが、第３方向に沿って連続するリニアアレイであり、さらに、第１電気信号トレースが、第２方向に関して第１および第２リニアアレイ間に配置されるようなものであり、そして５）第１方向に沿って配置される接地分離バイアのグループを配置することであって、接地分離バイアのグループは、第１電気信号トレースおよび第２電気信号トレース間に配置されていることである。
【００５０】
[0053] 他の実施例において、プリント回路基板におけるクロストークを縮小する方法は、図１Ａ−２Ｂに関して記述されたようなプリント回路基板１００のようなプリント回路基板の使用を提供するか、または教示するステップを有することができる。この方法は、さらに、（１）補完的な電気コネクタの電気信号接点のマウント部は、電気伝導性信号バイアのうちの１つ内に挿入される、（２）補完的な電気コネクタの接地接点マウント部は、電気伝導性接地バイアのうちの１つに内に挿入される、そして、（３）補完的な電気コネクタの電気接点のマウント部は、接地分離バイアのいずれとも整列しないようなプリント回路基板に補完的な電気部品をマウントするステップを第三者に対して教示することを有することができる。したがって、接地分離バイアは、補完的な電気コネクタによって未使用のままである。この方法は、さらに、第三者にプリント回路基板を販売するステップを有することができる。
【００５１】
[0054] 上に記述されたように、プリント回路基板１００は、図１または図３おいて記述されるように構築することができる。代りに、図１は、プリント回路基板１００の第１区分１００ａを例証することができ、さらに、図３ａは、横断方向Ｔに沿う第１区分１００ａの下に位置するプリント回路基板１００の第２区分１００ｂを例証することができる。第１および第２区分１００ａおよび１００ｂは、相互に関して連続的に配置することができ、それは、プリント回路基板１００が、横断方向Ｔに沿って第１および第２区分１００ａおよび１００ｂの間に配置される追加の層を欠くようなものである。したがって、第２区分１００ｂの第１電気伝導性層１０２ａは、第１区分１００ａの第２絶縁の層１０６ｂに直ちに隣接して配置することができる。第１区分１００ａの第２絶縁層１０６ｂは、第１区分１００ａの第２電気伝導性層１０２ｂと第２区分１００ｂの第１電気伝導性層１０２ａとの間に配置することができる。代りに、プリント回路基板１００は、横断方向Ｔに沿う第１および第２層１００ａおよび１００ｂの間に配置された１つまたはそれ以上の追加層を有することができる。
【００５２】
[0055] したがって、第１区分１００ａの第１電気伝導性層１０２ａは、上部の電気伝導性層と呼ぶことができ、第１区分１００ａの第２電気伝導性層１０２ｂおよび第２区分１００ｂの第１電気伝導性層１０２ａは、中間の電気伝導性層と呼ぶことができ、さらに、第２区分１００ｂの第２電気伝導性層１０２ｂは、低部の電気伝導性層と呼ぶことができる。区分１００ｂの第１および第２リニアアレイ１１０ａおよび１１０ｂは、プリント回路基板１００の第３および第４リニアアレイと呼ぶことができる。第１および第２区分１００ａおよび１００ｂの第１中心線Ｃ１は、横断方向Ｔに沿って相互に整列することができ、それは、横断方向Ｔおよび長手方向Ｌによって画定された平面が、第１および第２区分１００ａおよび１００ｂの第１中心線Ｃ１のそれぞれを通過するようなものである。代りに、第１および第２区分１００ａおよび１００ｂの第１中心線Ｃ１のそれぞれのすべてまでの部分は、横方向Ａに沿って第１および第２区分１００ａおよび１００ｂの第１中心線Ｃ１の他方から偏倚することができる。
【００５３】
[0056]例証された実施例に関連して記述された実施例は、例証によって示され、さらに、したがってこの発明は、開示された実施例に限定されるようには意図されていない。さらに、上に記述した各実施例の構造および特徴は、もし他の方法で示されなかったならば、ここに記述された他の実施例に適用することができる。したがって、この発明は、例えば付属の請求項によって述べられるように、この発明の精神および範囲内に包含されるすべての修正および代りの構成を包含するように意図される。
以下に、本願出願の当初の特許請求の範囲に記載された発明を付記する。
［１］  第１方向に沿って延びる少なくとも１つの電気信号トレースと;
第１方向に垂直である第２方向に沿って第１電気信号トレースの下に配置される電気伝導性の接地層であって、この電気伝導性の接地層は、第２方向に直角である平面に沿って延びるものと;
少なくとも１つの電気伝導性の信号バイアおよび少なくとも１つの電気伝導性の接地バイアを有する第１リニアアレイであって、この第１リニアアレイは、第１方向に沿って方向付けされるものと;
少なくとも１つの電気伝導性の信号バイア、および、少なくとも１つの電気伝導性の接地バイアを有する第２リニアアレイであって、この第２リニアアレイは、第１方向に沿って方向付けられ、この第２リニアアレイは、第１および第２方向のそれぞれに関して垂直である第３方向に沿う第１リニアアレイに一定間隔で配置されて連続し、少なくとも１つの電気信号トレースは、第３方向に関して第１および第２リニアアレイ間に配置されるものであり、さらに、第１方向に沿って方向付けられる接地分離バイアの少なくとも１つのグループであって、その接地分離バイアの少なくとも１つのグループは、第３方向に関して第１電気信号トレースおよび第２リニアアレイの間に配置されるものを有するプリント回路基板。
［２］  少なくとも１つの電気信号トレースは、第１電気信号トレースであり、印刷回路基板は、さらに、第１電気信号トレースと平行な第１方向に沿って延びる第２電気信号トレースを有し、その第１電気信号トレースおよび第２電気信号トレースは、電気信号トレースの差動対を画定するように組合うものである［１］記載のプリント回路基板。
［３］  電気信号トレースの差動対は、電気伝導性の接地層から一定間隔で配置される平面に配置される［２］記載のプリント回路基板。
［４］  第１リニアアレイは、第３方向に沿って第１距離、第２リニアアレイから間隔を置かれ、この第１距離は、プリント回路基板のリニアアレイピッチを画定する［１］記載のプリント回路基板。
［５］  少なくとも１つの電気信号トレースは、第３方向に沿って第１リニアアレイから第２距離、間隔を置かれ、少なくとも１つの電気信号トレースは、一定間隔で配置される、第３方向に沿って接地分離バイアの少なくとも１つのグループから第３距離、間隔を置かれ、接地分離バイアの少なくとも１つのグループは、第３方向に沿って第２リニアアレイから第４距離、間隔を置かれ、さらに、第２および第４距離のそれぞれは、第３距離より大きい［４］記載のプリント回路基板。
［６］  第２距離は、第４距離と等しい［５］記載のプリント回路基板。
［７］  第１距離は、第４距離より大きい［５］記載のプリント回路基板。
［８］  接地分離バイアは、プリント回路基板内にマウントされる補完的な電気コネクタの電気的接点のすべてのマウント部と整列外である［５］記載のプリント回路基板。
［９］  電気伝導性の接地分離バイアは、第３方向に沿って第１リニアアレイから第４距離、間隔を置かれ、かつ、第４距離は、補完的コネクタのカードピッチ未満である［８］記載のプリント回路基板。
［１０］  接地バイアを欠く第１領域であって、この第１領域は、第１リニアアレイと第３方向に沿って少なくとも１つの電気信号トレースとの間に配置されるものと;
さらに、電気信号トレースを欠く第２領域であって、この第２領域は、この第２リニアアレイと第３方向に沿って接地分離バイアの少なくとも１つのグループとの間で画定される［１］記載のプリント回路基板。
［１１］  少なくとも１つの信号トレースは、第１リニアアレイと第２リニアアレイとの間に等距離で間隔を置かれ、第１方向に沿って延びる中心線に関して非対称的に配置されることを特徴とする［１］記載のプリント回路基板。
［１２］  第１リニアアレイは、電気伝導性の信号バイアの差動対を有し、さらに、第２リニアアレイは、電気伝導性の信号バイアの差動対を有する［１］記載のプリント回路基板。
［１３］  少なくとも１つの電気信号トレースは、第１リニアアレイの信号バイアの差動信号対のそれぞれのものに電気的に接続される電気信号トレースの差動対を有する［１２］のプリント回路基板。
［１４］  第１方向に沿って第１電気信号トレースをルーティングすること;
第１方向に垂直である第２方向に沿って第１電気信号トレースの下の電気伝導性層であって、この電気伝導性層は、第２方向に直角である平面に沿って延びるものを配置すること;
第１リニアアレイにおける第１方向に沿って少なくとも１つの電気伝導性の接地バイアから少なくとも１つの電気伝導性の信号バイアと間隔を置くこと;
少なくとも１つの電気伝導性の信号バイアと、第１方向および第２方向に垂直である第３方向に沿う第１リニアアレイから一定間隔で配置される第２リニアアレイの第１方向に沿う少なくとも１つの電気伝導性の接地バイアとを間隔を置くことであって、それは、第１リニアアレイおよび第２リニアアレイが、第３方向に沿って連続するリニアアレイであり、さらに、第１電気信号トレースは、第３方向に関して第１および第２リニアアレイの間に配置されるようなものであること;
さらに、第１方向に沿って配置された接地分離バイアのグループを置くことであって、この接地分離バイアのグループは、第１電気信号トレースと第２リニアアレイとの間に配置されるものであること、
とのステップを有するプリント回路基板におけるクロストークを縮小する方法。
［１５］  第三者にプリント基板の使用を提供するか、または、教示することであって、このプリント回路基板は、以下を有する:
第１方向に沿って延びる第１電気信号トレースと;
第１方向に垂直である第２方向に沿って第１電気信号トレースの下に配置される電気伝導性層であって、その電気伝導性層は、第２方向に直角である平面に沿って延びるものと;
第１方向に沿って方向付けられる第１リニアアレイであって、その第１リニアアレイは、少なくとも１つの電気伝導性の信号バイアおよび少なくとも１つの電気伝導性の接地バイアを有するものと;
第１方向に沿って方向付けられる第２リニアアレイであって、この第２リニアアレイは、少なくとも１つの電気伝導性の信号バイアおよび少なくとも１つの電気伝導性の接地バイアを有するものであって、第３方向に沿って第１リニアアレイから一定間隔で配置され、第３方向に関して第１と第２リニアアレイ間で配置されている第１電気信号トレースに沿った連続するリニアアレイである第１リニアアレイおよび第２リニアアレイ;
また、接地分離バイアのグループであって、この接地分離バイアのグループの接地分離バイアは、第１方向に沿って配置され、この接地分離バイアのグループは、第１電気信号トレースと第２リニアアレイとの間に配置されており、（１）補完的な電気コネクタの電気信号接点のマウント部は、電気伝導性の信号バイアのうちの１つに挿入され、（２）補完的な電気コネクタの接地接点のマウント部は、電気伝導性の接地バイアのうちの１つに挿入され、さらに、（３）補完的な電気コネクタの電気接点のマウント部は、任意の接地分離バイアとも整列しないように、プリント回路基板に補完的な電気コネクタをマウントするステップを第三者に対し教示すること、;
さらに、第三者にプリント回路基板を販売すること、
のステップを有する方法であるプリント回路基板におけるクロストークを縮小する方法。
【図１】
0006556633.tif 000002
【図２】
0006556633.tif 000003
【図３】
0006556633.tif 000004